(57)【要約】【課題】無線端末の端末表示部に表示される呼出表示データとして、呼出元である病床の患者の呼出種別、部屋番号、子機番号とともに、容易に変更が可能な患者名、重症度、救護区分、感染症、診療科目、チーム番号等の患者情報を必要に応じて表示させる。【解決手段】ナースコール子機１ａ〜１ｄ、２ａ〜２ｄ、・・・からの呼出種別が異なる呼び出しがあった場合において、無線端末２２ａ、２２ｂ、・・・の端末表示部２２０では、呼出元である病床の患者の呼出種別、部屋番号、子機番号とともに、オーダリングシステム等のデータベース装置２１からナースコール用データベース装置２０ｂへと定期的に転送される患者名、重症度、救護区分、感染症、診療科目、チーム番号等の患者情報のうち当該ナースコール用データベース装置にて設定された特定の項目の患者情報、または表示優先度が設定された項目の患者情報が必要に応じて表示される。【選択図】  図１
2004313544.tif 000002
【特許請求の範囲】
【請求項１】
病室内の各病床に設置されるナースコール子機（１ａ〜１ｄ、２ａ〜２ｄ、・・・）と、前記病室毎に設置され前記ナースコール子機からの呼び出しを検出して呼出信号をナースコール制御機（２５）へと送信するための集合廊下灯（１１、１２、・・・）と、前記ナースコール制御機からの前記呼出信号を受信して通報されるナースコール通話部（２０ａ）と、前記ナースコール子機からの呼出種別、子機番号等の呼出情報が交換機（２４）および無線基地局（２３）を介して通報される無線端末（２２ａ、２２ｂ、・・・）と、病院内ネットワークに接続されている患者情報を記録／保存／検索するためのオーダリングシステム等のデータベース装置（２１）と、前記データベース装置に保存されている患者名、重症度、救護区分、感染症、診療科目、チーム番号等の患者情報を記録／保存／検索するためのパーソナルコンピュータ等のナースコール用データベース装置（２０ｂ）とを備え、
前記無線端末は、前記呼び出し毎に前記ナースコール制御機を介して前記ナースコール子機からの前記呼出情報を前記ナースコール用データベース装置に保存されている前記患者情報とともに表示するための端末表示部（２２０）を有することを特徴とするナースコール装置。
【請求項２】
前記無線端末の端末表示部に表示される前記患者情報を前記ナースコール用データベース装置にて設定することを特徴とする請求項１記載のナースコール装置。
【請求項３】
前記無線端末の端末表示部に表示される前記患者情報の表示優先度を前記ナースコール用データベース装置にて設定することを特徴とする請求項１または請求項２記載のナースコール装置。
【請求項４】
前記ナースコール制御機、前記ナースコール用データベース装置および前記無線端末のうち何れか１つは、前記呼び出し毎に前記呼出情報、前記患者情報に応じて前記端末表示部の表示色、点滅、表示マーク、フォント等の表示形態を変更するものであることを特徴とする請求項１乃至請求項３のうち何れか１項記載のナースコール装置。
【発明の詳細な説明】
【０００１】
【発明の属する技術分野】
本発明はナースコール装置に係り、特に、無線端末を携帯しながら病院内を巡回中の医療従事者である医師や看護師が、病床の患者からの呼び出しを確認して迅速な対応が可能となるナースコール装置に関する。
【０００２】
【従来の技術】
従来から、この種のナースコール装置として、病院内の医療従事者である医師や看護師の各個人が携帯する電話機（携帯電話機）の情報表示モニタ（表示部）に各種情報を表示させることで病床の患者に関する必要な情報を迅速かつ容易に得ることができるナースコール情報伝達システムおよびその使用方法が開示されている（例えば、特許文献１参照）。
【０００３】
従来例のナースコール情報伝達システムおよびその使用方法において、病床の患者毎に設置されたボタン装置がオンになると、制御装置内の記憶装置から呼び出した患者を特定するための情報が少なくとも１の携帯電話機に伝送され、当該携帯電話機の表示部に表示させることができるため、これを確認した医師や看護師は、病床の患者の緊急呼び出しに迅速、適切に対処でき仕事（業務）の効率が向上する。
【０００４】
【特許文献１】特許第３２１２１６７号公報（段落番号「０００８」、「００３６」、「００３７」）
【０００５】
【発明が解決しようとする課題】
しかしながら、従来例のナースコール情報伝達システムおよびその使用方法において、病床の患者毎に設置されたボタン装置がオンになると、制御装置内の記憶装置から呼び出される当該ボタン装置をオンにした患者を特定するための情報とは、呼出階、部屋番号、ベッド番号、その他の各種情報であり、具体的な患者情報、例えば、呼出元である病床の患者の患者名、重症度、救護区分、感染症、診療科目、チーム番号等の患者情報が含まれていないため、これらの患者情報を確認できず、特に、重症の患者に対応するための準備、患者の救護区分による車椅子等の移動器具の準備、感染症の患者に対応するための準備が遅れてしまい、迅速な対応が困難であった。
【０００６】
また、従来例のナースコール情報伝達システムおよびその使用方法において、病床の患者を特定するための情報が記憶される記憶装置は制御装置内に備えられており、情報の変更（書き換え）を行うためには、制御装置内の記憶装置に変更毎のデータをコピーせねばならず煩雑さを有しており、かつデータの整合性がとれなくなる可能性があった。
【０００７】
さらに、従来例のナースコール情報伝達システムおよびその使用方法において、患者は頻繁に病床を移動するため、移動毎に大量のデータ転送が必要となり携帯電話機の表示部に患者情報を表示させることは困難であった。
【０００８】
本発明は、上述の難点を解消するためになされたもので、無線端末の端末表示部に表示される呼出表示データとして、呼出元である病床の患者の呼出種別、部屋番号、子機番号とともに、容易に変更が可能な患者名、重症度、救護区分、感染症、診療科目、チーム番号等の患者情報を必要に応じて表示させることができるナースコール装置を提供することを目的としている。
【０００９】
【課題を解決するための手段】
上述の目的を達成するため、本発明のナースコール装置は、病室内の各病床に設置されるナースコール子機と、病室毎に設置されナースコール子機からの呼び出しを検出して呼出信号をナースコール制御機へと送信するための集合廊下灯と、ナースコール制御機からの呼出信号を受信して通報されるナースコール親機と、ナースコール子機からの呼出種別、部屋番号、子機番号等の呼出情報が交換機および無線基地局を介して通報される無線端末と、病院内ネットワークに接続されている患者情報を記録／保存／検索するためのオーダリングシステム等のデータベース装置と、データベース装置に保存されている患者名、重症度、救護区分、感染症、診療科目、チーム番号等の患者情報を記録／保存／検索するためのパーソナルコンピュータ等のナースコール用データベース装置とを備えている。無線端末は、呼び出し毎にナースコール制御機を介してナースコール子機からの呼出情報をナースコール用データベース装置に保存されている患者情報とともに表示するための端末表示部を有する。
【００１０】
また、本発明のナースコール装置は、無線端末の端末表示部に表示される患者情報をナースコール用データベース装置にて設定するものである。
【００１１】
また、本発明のナースコール装置は、無線端末の端末表示部に表示される患者情報の表示優先度をナースコール用データベース装置にて設定するものである。
【００１２】
このようなナースコール装置によれば、ナースコール子機からの呼び出しがあった場合には、病院内ネットワークに接続されたオーダリングシステムに予め保存されており定期的、例えば、患者の入院時や病床の移動時等にナースコール用データベース装置へと転送される患者名、重症度、救護区分、感染症、診療科目、チーム番号等の患者情報のうち当該ナースコール用データベース装置にて設定された特定の項目の患者情報、または表示優先度が設定された項目の患者情報がナースコール通話部を介してナースコール制御機へと伝送される。ナースコール制御機は、ナースコール用データベース装置からの患者情報と呼出種別、部屋番号、子機番号とを交換機および無線基地局を介して無線端末へと伝送させることができる。無線端末では、ナースコール制御機からの患者の呼出種別、部屋番号、子機番号と特定の項目の患者情報、または表示優先度が設定された項目の患者情報とを端末表示部に表示させることができる。
【００１３】
また、本発明のナースコール装置において、ナースコール制御機、ナースコール用データベース装置および無線端末のうち何れか１つは、呼び出し毎に呼出情報、患者情報に応じて端末表示部の表示色、点滅、表示マーク、フォント等の表示形態を変更するものである。
【００１４】
このようなナースコール装置によれば、無線端末の端末表示部に表示される呼出種別、部屋番号、子機番号、患者情報の表示色、点滅、表示マーク、フォント等の表示形態を、ナースコール制御機、ナースコール用データベース装置および無線端末のうち何れか１つの制御により変更することができる。
【００１５】
【発明の実施の形態】
以下、本発明のナースコール装置を適用した好ましい形態の実施例について、図面を参照して説明する。
【００１６】
図１は、本発明の実施例によるナースコール装置を示すシステム構成図である。
【００１７】
図１のシステム構成図に示すナースコール装置は、部屋番号が「１０１」、「１０２」、・・・のように予め割り当てられている病室内の各病床、所定の位置に設置されており、病床の患者が医療従事者である医師や看護師、例えば、ナースステーション内に在室中の看護師や後述する無線端末２２ａ、２２ｂ、・・・を携帯しながら病院内を巡回中の看護師のうち受け持ち（担当）の看護師に対して通常のナースコール呼び出し、緊急を要する緊急呼び出し、トイレ介助呼び出し等の呼出種別が異なる呼び出しを行い通話を成立させるための音声を入出力するナースコール子機、ここでは、病室毎４台づつ設置された子機番号が「１」のナースコール子機１ａ、２ａ、・・・、子機番号が「２」のナースコール子機１ｂ、２ｂ、・・・、子機番号が「３」のナースコール子機１ｃ、２ｃ、・・・、子機番号が「４」のナースコール子機１ｄ、２ｄ、・・・と、病室毎に設置、例えば、当該病室の出入口近傍である廊下先に設置されており、子機ラインＬ１ａ〜Ｌ１ｄ、Ｌ２ａ〜Ｌ２ｄ、・・・を介してそれぞれ接続されたナースコール子機１ａ〜１ｄ、２ａ〜２ｄ、・・・からの呼出種別が異なる呼び出しを検出するための集合廊下灯、ここでは、１０１号室の廊下先に設置された廊下灯番号が「１」の集合廊下灯１１、１０２号室の廊下先に設置された廊下灯番号が「２」の集合廊下灯１２、・・・と、ナースステーション内に設置されており、ナースコール子機１ａ〜１ｄ、２ａ〜２ｄ、・・・からの呼び出しがあることを呼出種別毎異なるパターンの呼出音を出力するとともに、これを確認したナースステーション内に在室中の看護師が呼出元である病床の患者との間で通話を成立させるための音声を入出力するナースコール通話部２０ａと、ナースステーション内に設置され親機機器間ラインＬ１０を介して接続されたナースコール通話部２０ａとでナースコール親機２０を構成し、ナースコール子機１ａ〜１ｄ、２ａ〜２ｄ、・・・からの呼び出しがあることを呼出種別毎異なるパターンで表示するとともに、データベース装置間ラインＬ１１を介して接続された後述するデータベース装置２１から定期的に転送、例えば、患者の入院時や病床の移動時等に転送されてくる各病床の患者の患者名、重症度、救護区分、感染症、診療科目、チーム番号等の患者情報を記録／保存／検索し、保存された患者情報を検索して特定の患者情報の項目について設定、または患者情報の項目について表示優先度を設定することができるナースコール用データベース装置２０ｂと、病院内ネットワークに接続されており、上述の患者情報（各病床の患者の患者名、重症度、救護区分、感染症、診療科目、チーム番号等）を記録／保存／検索するためのオーダリングシステム等のデータベース装置２１と、病院内を巡回中の看護師により携帯されており、ナースコール子機１ａ〜１ｄ、２ａ〜２ｄ、・・・からの呼び出しがあることを呼出種別毎異なるパターンで表示、呼出音を出力するとともに、これを確認した看護師が呼出元である病床の患者との間で通話を成立させるための個別の端末番号（詳述せず）を有するＰＨＳ（Ｐｅｒｓｏｎａｌ  Ｈａｎｄｙｐｈｏｎｅ  Ｓｙｓｔｅｍ）等の無線端末２２ａ、２２ｂ、・・・と、無線端末��２ａ、２２ｂ、・・・をそれぞれ無線制御するための無線基地局２３と、基地局ラインＬ１２を介して接続された無線基地局２３を制御（回線制御）するためのデジタル方式の交換機２４と、廊下灯ラインＬ１３を介して集合廊下灯１１、１２・・・、通話部ラインＬ１４を介して（ナースコール親機２０をなす）ナースコール通話部２０ａ、交換機ラインＬ１５を介して交換機２４をそれぞれ接続する中継器としてナースステーション内、または病院内の共用部に設置されており、これら接続された機器を制御するためのナースコール制御機２５とで構成されている。
【００１８】
また、（ナースコール親機２０をなす）ナースコール用データベース装置２０ｂは、図１のシステム構成図および図２（ａ）、（ｂ）の各画面構成図に示すように、データベース装置２１から定期的に転送、例えば、患者の入院時や病床の移動時等に転送されてくる上述の患者情報（各病床の患者の患者名、重症度、救護区分、感染症、診療科目、チーム番号等）のうち無線端末２２ａ、２２ｂ、・・・の後述する端末表示部２２０に表示させる特定の患者情報の項目について設定するための患者情報表示設定画面（以下、第１の患者情報表示設定画面という。）２００ａ、または患者情報の項目について表示優先度を設定するための患者情報表示設定画面２００ｂ（以下、第２の患者情報表示設定画面という。）を表示するとともに、ナースコール子機１ａ〜１ｄ、２ａ〜２ｄ、・・・からの呼び出しがあることを呼出種別毎異なるパターンで表示するためのデータベース装置表示部２００と、データベース装置表示部２００に表示された第１、第２の各患者情報表示設定画面２００ａ、２００ｂ上の患者情報のうち特定の患者情報の項目について設定、または患者情報の項目について表示優先度を設定するための操作を行う例えば、スイッチ、キーボード、マウス、タッチパネル等の設定操作部２０１とを有する。
【００１９】
さらに、無線端末２２ａ、２２ｂ、・・・はそれぞれ同様な構成であり、図１のシステム構成図および図３（ａ）、（ｂ）の各画面構成図に示すように、呼出元である病床の患者の呼出種別、部屋番号、子機番号と患者名、重症度、救護区分、感染症、診療科目、チーム番号等の患者情報とをもとに、ナースコール子機１ａ〜１ｄ、２ａ〜２ｄ、・・・からの呼び出しがあることを呼出種別毎異なるパターンで表示するための端末表示部２２０と、ナースコール子機１ａ〜１ｄ、２ａ〜２ｄ、・・・からの呼び出しがあることを呼出種別毎異なるパターンの呼出音を出力するとともに、当該無線端末を携帯しながら病院内を巡回中の看護師が呼出元である病床の患者との間を成立させるための音声を入出力する呼出通話部２２１とを有する。
【００２０】
なお、データベース装置２１に予め保存される上述の患者情報のうち重症度とは、例えば、「Ａ−１」、「Ａ−２」、「Ａ−３」、「Ｂ−１」、・・・のように看護観察の程度や病床の患者の生活に対する自由度に応じてレベル設定されている。同様に救護区分とは、例えば、「担送」、「護送」、「独歩」のように大別されている。同様に感染症とは、例えば、「ＨＩ」（ＨＩＶ：ヒト免疫不全ウイルス感染）、「ＭＲ」（ＭＲＳＡ：黄色ブドウ球菌感染）のように略意としてアルファベット設定されている。同様に診療科目とは、例えば、「内科」、「外科」、「皮膚科」、・・・を示すものである。同様にチーム番号とは、無線端末２２ａ、２２ｂ、・・・を携帯する病院内を巡回中の看護師毎、当該無線端末が個有する個別の端末番号に割り当てられたチーム番号「１」、「２」、・・・を示すものであり、このチーム番号「１」、「２」はナースコール制御機２５に予め保存されている。
【００２１】
このように構成された本発明の実施例によるナースコール装置において、以下、具体的な動作について説明する。
【００２２】
図１のシステム構成図において、ナースステーション内に在室中の看護師は、（ナースコール親機２０をなす）ナースコール用データベース装置２０ｂのデータベース装置表示部２００に表示されている図２（ａ）の画面構成図に示す第１の患者情報表示設定画面２００ａ上の患者情報の項目、すなわち、データベース装置２１からデータベース装置間ラインＬ１１を介して定期的に転送、例えば、患者の入院時や病床の移動時等に転送され保存された患者名、重症度、救護区分、感染症、診療科目、チーム番号等の患者情報の項目の中から無線端末２２ａ、２２ｂ、・・・の端末表示部２２０に表示させる特定の項目の患者情報を設定操作部２０１を操作して予め設定することができる。ここでは、上述の患者情報のうち患者名、重症度、救護区分の３つの患者情報が予め設定されているものとする。
【００２３】
ここで、病室内の病床の患者、ここでは、１０１号室内でナースコール子機１ａが病床に設置されている患者が、ナースステーション内に在室中の看護師や無線端末２２ａ、２２ｂ、・・・を携帯しながら病院内を巡回中の看護師のうち受け持ち（担当）の看護師を呼び出す、例えば、通常のナースコール呼び出し、緊急を要する緊急呼び出し、トイレ介助呼び出し等を行うために、これら呼出種別毎で操作が異なるナースコール子機１ａの呼出機能を能動にすると、呼出元のナースコール子機１ａに子機ラインＬ１ａを介して接続されている集合廊下灯１１は、呼出種別、廊下灯番号「１」、ナースコール子機１ａの子機番号「１」からなる呼出情報を含む呼出信号Ｓ１を廊下灯ラインＬ１３に送信する。この呼出信号Ｓ１は、廊下灯ラインＬ１３を介して（集合廊下灯１１を除く）他の集合廊下灯１２、・・・とナースコール制御機２５とにそれぞれ伝送される。
【００２４】
なお、集合廊下灯１１では、廊下灯ラインＬ１３への呼出信号Ｓ１の送信とともに、ナースコール子機１ａが病床に設置されている患者からの呼び出し、すなわち、通常のナースコール呼び出し、緊急を要する緊急呼び出し、トイレ介助呼び出し等のように呼出種別毎異なるパターンで呼出表示灯（詳述せず）を点滅／点灯させることにより、１０１号室の廊下先に居る看護師に対して呼出報知を行うこともできる。
【００２５】
また、（集合廊下灯１１を除く）他の集合廊下灯１２、・・・では、集合廊下灯１１からの呼出信号Ｓ１がナースコール制御機２５からの送信信号でないことにより、通常、呼出信号Ｓ１を無効であると判断し、集合廊下灯１１のような上述の呼出報知は行われない。
【００２６】
また、ナースコール制御機２５は、集合廊下灯１１からの呼出信号Ｓ１に含まれている廊下灯番号「１」に割り当てられて予め保存されている１０１号室の部屋番号「１０１」を検出し、この部屋番号「１０１」と上述の呼出信号Ｓ１に含まれている呼出種別、子機番号「１」とを含む呼出信号Ｓ２を通話部ラインＬ１４に送信する。この呼出信号Ｓ２は、通話部ラインＬ１４を介して（ナースコール親機２０をなす）ナースコール通話部２０ａへと伝送されるとともに、当該ナースコール通話部から親機機器間ラインＬ１０を介して（ナースコール親機２０をなす）ナースコール用データベース装置２０ｂへと伝送される。
【００２７】
また、（ナースコール親機２０をなす）ナースコール通話部２０ａは、ナースコール制御機２５からの呼出信号Ｓ２に含まれている呼出種別、部屋番号「１０１」、子機番号「１」をそれぞれ検出し、呼出種別毎でパターンが異なる呼出音を出力する。
【００２８】
また、（ナースコール親機２０をなす）ナースコール用データベース装置２０ｂは、ナースコール制御機２５からの呼出信号Ｓ２に含まれている呼出種別、部屋番号「１０１」、子機番号「１」をもとに、１０１号室内でナースコール子機１ａが病床に設置されている患者、ここでは、患者名「山田太郎」、重症度「Ａ−２」、救護区分「担送」、感染症「ＨＩ」、診療科目「内科」、チーム番号「１」等の患者情報を有する患者からの呼び出しがあることを検出し、その旨を呼出種別とともにデータベース装置表示部２００に表示させることにより、この表示を上述の呼出音の出力と併せて確認したナースステーション内に在室中の看護師は、呼出元である病床の患者の重症度に対応した準備、患者の救護区分による車椅子等の移動器具の準備、感染症の患者に対応するための準備等を迅速に行うことができる。
【００２９】
また、（ナースコール親機２０をなす）ナースコール用データベース装置２０ｂは、データベース装置表示部２００への上述の表示とともに、設定操作部２０１の操作により設定された特定の項目の患者情報（患者名「山田太郎」、重症度「Ａ−２」、救護区分「担送」）と呼出種別、部屋番号「１０１」、子機番号「１」とを含む呼出制御信号Ｓ３を親機機器間ラインＬ１０に送信する。この呼出制御信号Ｓ３は、親機機器間ラインＬ１０、（ナースコール親機２０をなす）ナースコール通話部２０ａ、通話部ラインＬ１４を介してナースコール制御機２５へと伝送される。
【００３０】
また、ナースコール制御機２５は、（ナースコール親機２０をなす）ナースコール用データベース装置２０ｂからの呼出制御信号Ｓ３に含まれている呼出種別、部屋番号「１０１」、子機番号「１」、特定の項目の患者情報をそれぞれ検出し、部屋番号「１０１」および子機番号「１」に割り当てられて保存されているチーム番号「１」に対応した端末番号と、呼出種別、部屋番号「１０１」および子機番号「１」からなる呼出元の表示データ「１０１−１」と、特定の項目の患者情報とを含む端末呼出制御信号Ｓ４を交換機ラインＬ１５に送信する。この端末呼出制御信号Ｓ４は、交換機ラインＬ１５、交換機２４、基地局ラインＬ１２、無線基地局２３を介して無線信号に変換された後、無線端末２２ａ、２２ｂ、・・・へとそれぞれ伝送される。
【００３１】
なお、ナースコール制御機２５から無線端末２２ａ、２２ｂ、・・・へと送信される端末呼出制御信号Ｓ４には、呼び出し毎の呼出情報、患者情報に応じて、当該無線端末の端末表示部２２０の文字色、点滅（点滅パターン）、表示マーク、フォント等を変更するための制御情報を含めることもできる。
【００３２】
さらに、無線端末２２ａ、２２ｂ、・・・は、ナースコール制御機２５からの端末呼出制御信号Ｓ４に含まれているチーム番号「１」に対応した端末番号、呼出種別、呼出元の表示データ「１０１−１」、特定の項目の患者情報のうちチーム番号「１」に対応した端末番号と自端末が有する個別の端末番号とを照合し、一致した場合にのみ呼出種別、呼出元の表示データ「１０１−１」、特定の項目の患者情報をそれぞれ有効であると判断して、図３（ａ）の画面構成図に示すように、呼出種別が通常のナースコール呼び出しの場合には「ＮＣ（ナースコールの略意）」、「１０１−１」、「患者名：山田太郎」「重症度：Ａ−２」、「救護区分：担送」からなる呼出表示データを、呼出種別が緊急を要する緊急呼び出しの場合には「ＳＣ（スタッフコールの略意）」、「１０１−１」、「患者名：山田太郎」「重症度：Ａ−２」、「救護区分：担送」からなる呼出表示データを、呼出種別がトイレ介助呼び出しの場合には「ＴＫ（トイレ介助の略意）」、「１０１−１」、「患者名：山田太郎」「重症度：Ａ−２」、「救護区分：担送」からなる呼出表示データをそれぞれ端末表示部２２０に表示させるとともに、呼出種別毎でパターンが異なる呼出音を呼出通話部２２１から出力させる。ここでは、無線端末２２ａのみ端末番号が一致することにより、無線端末２２ａを携帯しながら病院内を巡回中の看護師に対してのみ上述の表示、呼出音が出力され、これを確認した看護師は、呼出元である病床の患者の重症度に対応した準備、患者の救護区分による車椅子等の移動器具の準備、感染症の患者に対応するための準備等を迅速に行うことができる。
【００３３】
なお、ナースコール制御機２５から無線端末２２ａ、２２ｂ、・・・へとそれぞれ送信される端末呼出制御信号Ｓ４に上述の制御情報、すなわち、当該無線端末の端末表示部２２０の文字色、点滅（点滅パターン）、表示マーク、フォント等を変更するための制御情報が含まれている場合には、端末番号が一致した無線端末２２ａの端末表示部２２０に表示される上述の呼出表示データの文字色、点滅（点滅パターン）、表示マーク、フォント等を変更させることもできる。
【００３４】
また、無線端末２２ａの端末表示部２２０には、上述の呼出表示データの他に、呼出時刻、すなわち、端末呼出制御信号Ｓ４が受信された時刻を表示させることもできる。
【００３５】
ここで、１０１号室内でナースコール子機１ａが病床に設置されている患者からの呼び出し、すなわち、通常のナースコール呼び出し、緊急を要する緊急呼び出し、トイレ介助呼び出しのうち何れかの呼び出しを確認したナースステーション内に在室中の看護師および無線端末２２ａを携帯しながら病院内を巡回中の看護師のうち最先に応答した看護師、先ず、ナースステーション内に在室中の看護師が（ナースコール親機２０をなす）ナースコール通話部２０ａにて応答すると、当該ナースコール通話部が有する通話機能と、通話部ラインＬ１４、ナースコール制御機２５、廊下灯ラインＬ１３、集合廊下灯１１、子機ラインＬ１ａを介してナースコール子機１ａが有する通話機能との間の通話ラインが形成され、この通話ラインを介して音声信号を送受信させることにより、ナースステーション内に在室中の看護師と１０１号室内でナースコール子機１ａが病床に設置されている患者との間で通話が成立する。
【００３６】
一方、無線端末２２ａを携帯しながら病院内を巡回中の看護師が当該無線端末にて応答すると、無線端末２２ａの呼出通話部２２１と、無線基地局２３、基地局ラインＬ１２、交換機２４、交換機ラインＬ１５、ナースコール制御機２５、廊下灯ラインＬ１３、集合廊下灯１１、子機ラインＬ１ａを介してナースコール子機１ａが有する通話機能との間の通話路が形成され、この通話路を介して音声信号を送受信させることにより、無線端末２２ａを携帯しながら病院内を巡回中の看護師と１０１号室内でナースコール子機１ａが病床に設置されている患者との間で通話が成立する。
【００３７】
なお、上述の実施例では、無線端末２２ａ、２２ｂ、・・・の端末表示部２２０に表示させる患者情報の項目として、（ナースコール親機２０をなす）ナースコール用データベース装置２０ｂの設定操作部２０１を操作して患者名、重症度、救護区分の３つの項目を予め設定していたが、これに限定されず、任意の項目について予め設定することができるばかりでなく、データベース装置表示部２００に表示されている図２（ｂ）の画面構成図に示す第２の患者情報表示設定画面２００ｂ上の患者情報の項目について設定操作部２０１を操作して表示優先度の設定ができる。ここでは、患者名（優先順位１）→重症度（優先順位２）→救護区分（優先順位３）→感染症（優先順位４）→診療科目（優先順位５）→チーム番号（優先順位６）→、・・・の順位で表示優先度が予め設定されているものとする。
【００３８】
ここで、上述の実施例のように１０１号室内でナースコール子機１ａが病床に設置されている患者からの呼び出しがあった場合、これを検出したナースコール制御機２５からの呼出信号Ｓ２に含まれている呼出種別、部屋番号「１０１」、子機番号「１」をもとに、１０１号室内でナースコール子機１ａが病床に設置されている患者、ここでは、患者名「山田太郎」、重症度「Ａ−２」、救護区分「担送」、感染症「ＨＩ」、診療科目「内科」、チーム番号「１」等の患者情報を有する患者からの呼び出しがあることを検出した（ナースコール親機２０をなす）ナースコール用データベース装置２０ｂでは、その旨を呼出種別とともにデータベース装置表示部２００に表示させることにより、この表示を上述の呼出音（ナースコール通話部２０ａからの呼出音）の出力と併せて確認したナースステーション内に在室中の看護師は、呼出元である病床の患者の重症度に対応した準備、患者の救護区分による車椅子等の移動器具の準備、感染症の患者に対応するための準備等を迅速に行うことができる。
【００３９】
また、（ナースコール親機２０をなす）ナースコール用データベース装置２０ｂは、データベース装置表示部２００への上述の表示とともに、設定操作部２０１の操作により表示優先度の項目が設定された患者情報（患者名「山田太郎」→重症度「Ａ−２」→救護区分「担送」→感染症「ＨＩ」→診療科目「内科」→チーム番号「１」→、・・・）と呼出種別、部屋番号「１０１」、子機番号「１」とを含む呼出制御信号Ｓ１３を親機機器間ラインＬ１０に送信する。この呼出制御信号Ｓ１３は、上述の呼出制御信号Ｓ３と同様な経路を介してナースコール制御機２５へと伝送される。
【００４０】
また、ナースコール制御機２５は、（ナースコール親機２０をなす）ナースコール用データベース装置２０ｂからの呼出制御信号Ｓ１３に含まれている呼出種別、部屋番号「１０１」、子機番号「１」、表示優先度の項目が設定された患者情報をそれぞれ検出し、部屋番号「１０１」および子機番号「１」に割り当てられて保存されているチーム番号「１」に対応した端末番号と、呼出種別、部屋番号「１０１」および子機番号「１」からなる呼出元の表示データ「１０１−１」と、表示優先度の項目が設定された患者情報とを含む端末呼出制御信号Ｓ１４を交換機ラインＬ１５に送信する。この端末呼出制御信号Ｓ１４は、上述の端末呼出制御信号Ｓ４と同様な経路を介して無線端末２２ａ、２２ｂ、・・・へとそれぞれ伝送される。
【００４１】
なお、ナースコール制御機２５から無線端末２２ａ、２２ｂ、・・・へとそれぞれ送信される端末呼出制御信号Ｓ１４には、呼び出し毎の呼出情報、患者情報に応じて、当該無線端末の端末表示部２２０の文字色、点滅（点滅パターン）、表示マーク、フォント等を変更するための制御情報を含めることもできる。
【００４２】
さらに、無線端末２２ａ、２２ｂ、・・・は、ナースコール制御機２５からの端末呼出制御信号Ｓ１４に含まれているチーム番号「１」に対応した端末番号、呼出種別、呼出元の表示データ「１０１−１」、表示優先度の項目が設定された患者情報のうちチーム番号「１」に対応した端末番号と自端末が有する個別の端末番号とを照合し、一致した場合にのみ呼出種別、呼出元の表示データ「１０１−１」、表示優先度の項目が設定された患者情報をそれぞれ有効であると判断して、図３（ｂ）の画面構成図に示すように、呼出種別が通常のナースコール呼び出しの場合には「ＮＣ」、「１０１−１」と表示可能な限りの患者情報とからなる呼出表示データ、すなわち、「ＮＣ」、「１０１−１」と表示優先度の順位（優先順位１「患者名：山田太郎」→優先順位２「重症度：Ａ−２」→優先順位３「救護区分：担送」→優先順位４「感染症：ＨＩ」→優先順位５「診療科目：内科」）→優先順位６「チーム番号：１」→、・・・）による表示可能な限りの患者情報とからなる呼出表示データを、呼出種別が緊急を要する緊急呼び出しの場合には「ＳＣ」、「１０１−１」と上述の表示優先度の順位による表示可能な限りの患者情報とからなる呼出表示データを、呼出種別がトイレ介助呼び出しの場合には「ＴＫ」、「１０１−１」と上述の表示優先度の順位による表示可能な限りの患者情報とからなる呼出表示データをそれぞれ端末表示部２２０に表示させるとともに、呼出種別毎でパターンが異なる呼出音を呼出通話部２２１から出力させる。ここでは、無線端末２２ａのみ端末番号が一致することにより、無線端末２２ａを携帯しながら病院内を巡回中の看護師に対してのみ上述の表示、呼出音が出力され、これを確認した看護師は、呼出元である病床の患者の重症度に対応した準備、患者の救護区分による車椅子等の移動器具の準備、感染症の患者に対応するための準備等を迅速に行うことができる。
【００４３】
なお、ナースコール制御機２５から無線端末２２ａ、２２ｂ、・・・へとそれぞれ送信される端末呼出制御信号Ｓ１４に上述の制御情報、すなわち、当該無線端末の端末表示部２２０の文字色、点滅（点滅パターン）、表示マーク、フォント等を変更するための制御情報が含まれている場合には、端末番号が一致した無線端末２２ａの端末表示部２２０に表示される上述の呼出表示データの文字色、点滅（点滅パターン）、表示マーク、フォント等を変更させることもできる。
【００４４】
また、無線端末２２ａの端末表示部２２０には、上述の呼出表示データの他に、呼出時刻、すなわち、端末呼出制御信号Ｓ１４が受信された時刻を表示させることもできる。
【００４５】
さらに、図３（ｃ）の画面構成図に示すように、端末表示部２２０が小さい無線端末２２ａ、２２ｂ、・・・を通常の当該無線端末として使用する場合において、この端末表示部２２０には、表示優先度の順位（優先順位）が高い患者情報からなる呼出表示データのみが表示されるため、無線端末２２ａ、２２ｂ、・・・にて表示優先度の順位（優先順位）の設定を行う必要がない。
【００４６】
なお、上述の実施例では、ナースコール子機１ａ〜１ｄ、２ａ〜２ｄ、・・・からの呼び出しがあった場合において呼出種別毎異なるパターンで表示、呼出音を出力する無線端末２２ａ、２２ｂ、・・・を、呼出元である病床の患者を受け持つ看護師のチーム番号に対応した端末番号と一致する無線端末としたが、受け持ち（担当）の看護師が携帯する特定の無線端末に限定されず、全ての無線端末２２ａ、２２ｂ、・・・にて呼出種別毎異なるパターンで表示、呼出音を出力させることもできる。
【００４７】
また、上述の実施例では、無線端末２２ａ、２２ｂ、・・・の端末表示部２２０に表示される呼出種別、部屋番号、子機番号、患者情報の表示色、点滅、表示マーク、フォント等の表示形態を、ナースコール制御機２５からの端末呼出制御信号Ｓ４、Ｓ１４に含まれているナースコール子機１ａ〜１ｄ、２ａ〜２ｄ、・・・からの呼び出し毎の呼出情報、患者情報に応じた制御情報をもとに変更させたが、ナースコール制御機２５に限定されず、当該ナースコール親機、（ナースコール親機２０をなす）ナースコール用データベース装置２０ｂおよび無線端末（自無線端末）のうち何れか１つの制御により変更することもできる。
【００４８】
さらに、上述の実施例では、病室内の各病床、所定の位置に設置されるナースコール子機の台数を４台づつとしたが、この台数は４台に限定されず、個室として病室を使用するような単一台、または大部屋として病室を使用するように、より複数台、任意の台数を設置することもできる。
【００４９】
【発明の効果】
以上の説明から明らかなように、本発明のナースコール装置によれば、病室内の病床の患者の操作によるナースコール子機からの呼び出しがあった場合において、病院内を巡回中の看護師により携帯される無線端末の端末表示部では、呼出元である病床の患者の呼出種別、部屋番号、子機番号とともに、オーダリングシステム等のデータベース装置からナースコール用データベース装置へと定期的に転送、例えば、患者の入院時や病床の移動時等に転送される患者名、重症度、救護区分、感染症、診療科目、チーム番号等の患者情報のうち当該ナースコール用データベース装置にて設定された特定の項目の患者情報、または表示優先度が設定された項目の患者情報が必要に応じて表示されることにより、表示内容の変更が容易となるばかりでなく、これを確認した看護師は、呼出元である病床の患者の重症度に対応した準備、患者の救護区分による車椅子等の移動器具の準備、感染症の患者に対応するための準備等を迅速に行うことができる。
【００５０】
また、本発明のナースコール装置によれば、無線端末の端末表示部に表示される呼出種別、部屋番号、子機番号、患者情報の表示色、点滅、表示マーク、フォント等の表示形態を、呼び出し毎の呼出情報、患者情報に応じて、ナースコール制御機、ナースコール用データベース装置および無線端末の何れか１つの制御により変更することができる。
【図面の簡単な説明】
【図１】本発明の実施例によるナースコール装置を示すシステム構成図である。
【図２】本発明の実施例によるナースコール装置において、（ａ）、（ｂ）はそれぞれ（ナースコール親機をなす）ナースコール用データベース装置のデータベース装置表示部に表示される患者情報表示設定画面の一例を示す画面構成図である。
【図３】本発明の実施例によるナースコール装置において、（ａ）、（ｂ）、（ｃ）はそれぞれ無線端末の端末表示部に表示される呼出表示データの一例を示す画面構成図である。
【符号の説明】
１ａ〜１ｄ、２ａ〜２ｄ、・・・  ・・・・・ナースコール子機
１１、１２、・・・  ・・・・・集合廊下灯
２０ａ・・・・・ナースコール通話部
２０ｂ・・・・・ナースコール用データベース装置
２１・・・・・データベース装置
２２ａ、２２ｂ、・・・  ・・・・・無線端末
２２０・・・・・端末表示部
２５・・・・・ナースコール制御機
【図１】
2004313544.tif 000003
【図２】
2004313544.tif 000004
【図３】
2004313544.tif 000005